(57)【要約】【課題】防火性能が高い建具を実現することにある。【解決手段】枠体と、前記枠体に設けられる戸体と、を有し、前記戸体は、中空部を有する框を備え、前記框の端に位置する小口に、合成樹脂製の小口キャップが嵌め込まれており、前記小口キャップは、前記小口を覆う小口覆部と、該小口覆部から延出して前記中空部内に入り込んだ延出部と、を備え、前記中空部内には、不燃性または難燃性の補強部材が設けられ、前記補強部材は、前記延出部の内側端と隣り合う外側端を有している建具であって、前記延出部と見込み方向において対向する前記中空部の対向壁と、前記小口覆部と対向する前記枠体の対向部分に、加熱発泡材が設けられていることを特徴とする。【選択図】図４
2016030989.tif 000002
【特許請求の範囲】
【請求項１】
枠体と、前記枠体に設けられる戸体と、を有し、
前記戸体は、中空部を有する框を備え、
前記框の端に位置する小口に、合成樹脂製の小口キャップが嵌め込まれており、
前記小口キャップは、前記小口を覆う小口覆部と、該小口覆部から延出して前記中空部内に入り込んだ延出部と、を備え、
前記中空部内には、不燃性または難燃性の補強部材が設けられ、
前記補強部材は、前記延出部の内側端と隣り合う外側端を有している建具であって、
前記延出部と見込み方向において対向する前記中空部の対向壁と、前記小口覆部と対向する前記枠体の対向部分に、加熱発泡材が設けられていることを特徴とする建具。
【請求項２】
請求項１に記載の建具において、
前記対向壁に設けられた加熱発泡材は、前記框の端部に備えられていることを特徴とする建具。
【請求項３】
請求項１又は請求項２に記載の建具において、
前記対向部分に設けられた加熱発泡材は、前記枠体の端部に備えられていることを特徴とする特徴とする建具。
【請求項４】
請求項１乃至請求項３のいずれかに記載の建具において、
前記框は縦框であり、
前記縦框の上下方向における端に位置する小口に、合成樹脂製の小口キャップが嵌め込まれており、
前記補強部材は、上下方向において前記延出部の内側端と隣り合う外側端を有しており、
前記延出部と見込み方向において対向する前記中空部の対向壁と、前記小口覆部と上下方向において対向する前記枠体の対向部分に、加熱発泡材が設けられていることを特徴とする建具。
【発明の詳細な説明】
【技術分野】
【０００１】
本発明は、建具に関する。
【背景技術】
【０００２】
枠体と枠体に設けられる戸体とを有する建具は、既によく知られている。このような建具の中には、框を備え、框の端に位置する小口に、合成樹脂製の小口キャップが嵌め込まれているものがある。
【先行技術文献】
【特許文献】
【０００３】
【特許文献１】特開２０１２−１４４８６６号公報
【発明の概要】
【発明が解決しようとする課題】
【０００４】
ところで、小口キャップの中には、小口を覆う小口覆部と、該小口覆部から延出して框の中空部内に入り込んだ延出部と、を備えるものがある。一方、当該中空部内には、不燃性または難燃性の補強部材が設けられている場合がある。
【０００５】
そして、このような状況において、補強部材が延出部の内側端と隣り合う外側端を備える構成を中空部内で形成することにより、補強部材と延出部の物理的干渉を回避することが行われていた。
【０００６】
しかしながら、火災が発生すると、延出部が設けられている場所が火炎の通り道となって、火炎が室外側から室内側へ入ってしまう場合があった。
【０００７】
また、小口キャップ（小口覆部）と枠体との間には隙間が存在するが、当該隙間が火炎の通り道とならないようにするため、従来は、小口キャップの小口覆部に加熱発泡材が貼付されていた。しかしながら、小口キャップは、合成樹脂製かつ小さな部品であるため、火災の際に溶融や変形が起こりやすく、加熱発泡材の小口覆部への固定が不適切な状態となりやすかった。そのため、加熱発泡材が前記隙間を適切に塞ぐことができないという事象が発生していた。
【０００８】
このように、従来は、建具の防火性能に課題が生じていた。
【０００９】
本発明は、かかる課題に鑑みてなされたものであり、その目的とするところは、防火性能が高い建具を実現することにある。
【課題を解決するための手段】
【００１０】
かかる目的を達成するために本発明の建具は、枠体と、前記枠体に設けられる戸体と、を有し、
前記戸体は、中空部を有する框を備え、
前記框の端に位置する小口に、合成樹脂製の小口キャップが嵌め込まれており、
前記小口キャップは、前記小口を覆う小口覆部と、該小口覆部から延出して前記中空部内に入り込んだ延出部と、を備え、
前記中空部内には、不燃性または難燃性の補強部材が設けられ、
前記補強部材は、前記延出部の内側端と隣り合う外側端を有している建具であって、
前記延出部と見込み方向において対向する前記中空部の対向壁と、前記小口覆部と対向する前記枠体の対向部分に、加熱発泡材が設けられていることを特徴とする建具である。
【００１１】
このような建具によれば、中空部の対向壁に加熱発泡材を設けたことにより、延出部が設けられている場所が火炎の通り道となって火炎が室内側に入ってしまうことを適切に回避することが可能となる。また、枠体の対向部分に加熱発泡材を設けたことにより、加熱発泡材の固定が不適切な状態となりにくく、加熱発泡材が隙間を適切に塞ぐことが可能となる。また、双方の加熱発泡材の相乗効果により、枠体の対向部分に設けられた加熱発泡材の密度が高密度となり、当該加熱発泡材の隙間を塞ぐ機能が適切に発揮される。以上のことから、防火性能が高い建具を実現することが可能となる。
【００１２】
かかる建具であって、前記対向壁に設けられた加熱発泡材は、前記框の端部に備えられていることが望ましい。
【００１３】
このような建具によれば、必要最小限の部分がカバーされ、加熱発泡材の使用量を節約してコストメリットを出すことが可能となる。
【００１４】
かかる建具であって、前記対向部分に設けられた加熱発泡材は、前記枠体の端部に備えられていることが望ましい。
【００１５】
このような建具によれば、必要最小限の部分がカバーされ、加熱発泡材の使用量を節約してコストメリットを出すことが可能となる。
【００１６】
かかる建具であって、前記框は縦框であり、
前記縦框の上下方向における端に位置する小口に、合成樹脂製の小口キャップが嵌め込まれており、
前記補強部材は、上下方向において前記延出部の内側端と隣り合う外側端を有しており、
前記延出部と見込み方向において対向する前記中空部の対向壁と、前記小口覆部と上下方向において対向する前記枠体の対向部分に、加熱発泡材が設けられていることが望ましい。
【００１７】
このような建具によれば、建具の框組みが縦勝ちである場合に、防火性能が高い建具を実現することが可能となる。
【発明の効果】
【００１８】
本発明によれば、防火性能が高い建具を実現することができる。
【図面の簡単な説明】
【００１９】
【図１】建具１の縦断面図である。
【図２】建具１の横断面図である。
【図３】建具１の正面模式図である。
【図４】小口キャップ４０及びその周辺の構成を説明するための斜視断面図である。
【図５】三つの加熱発泡材７０の位置関係を示した図である。
【発明を実施するための形態】
【００２０】
＝＝＝本実施の形態に係る建具１について＝＝＝
以下、本発明の一実施形態に係る建具について図１乃至図３を参照して説明する。図１は、建具１の縦断面図である。図２は、建具１の横断面図である。図３は、建具１の正面模式図である。
【００２１】
本実施形態の建具１は、図１、図２、図３に示すように、矩形状に枠組みされて開口を形成する枠体１０と、枠体１０に回動自在に支持されて開口を閉塞自在な戸体の一例としての扉２０とを備えている。
【００２２】
以下の説明においては、建具１が建物等に取り付けられた状態において、上下となる方向を上下方向、左右となる方向を左右方向、室内外方向である奥行き方向を見込み方向として示す。
【００２３】
本実施形態の建具１は、上下の横枠としての上枠１１及び下枠１２と左右の縦枠１３とが枠組みされた四方枠としての枠体１０と、一方の縦枠側にて回動自在に支持され、回動することにより枠体１０にて形成される開口を開閉可能な扉２０と、を有している。
【００２４】
上枠１１、下枠１２、左右の縦枠１３は、いずれも室外側に配置されてアルミニウム製の押出成形部材でなる外枠部１１ａ、外枠部１２ａ、外枠部１３ａと、外枠部１１ａ、外枠部１２ａ、外枠部１３ａの室内側に取り付けられる合成樹脂製の押出成形部材でなる内枠材１１ｂ、内枠材１２ｂ、内枠材１３ｂと、を有している。外枠部１１ａ、外枠部１２ａ、外枠部１３ａは、いずれも長手方向に貫通する枠中空部１１ｃ、枠中空部１２ｃ、枠中空部１３ｃを有している。
【００２５】
扉２０は、上下方向に沿って配置される戸先框及び吊り元框をなす一対の縦框２１の上端部と下端部とにて、当該一対の縦框２１間に上下一対の横框２２（すなわち、上框２４及び下框２５）が介在され、一対の縦框２１により一対の横框２２の小口（換言すれば、切断面）が塞がれて矩形状に框組みされた框（以下、框体２３とする）と、框体２３に囲まれた領域を塞ぐように設けられた複層ガラス３とを有している。
【００２６】
なお、前述したとおり、一対の横框２２の小口は、縦框２１により塞がれているが、一対の縦框２１の小口（縦框小口２６と呼ぶ）は、後述する小口キャップ４０（図４参照）により塞がれている（覆われている）。本実施の形態に係る扉２０には、４つの小口キャップ４０が備えられており、これらの小口キャップ４０は、扉２０の四隅（４つのコーナー）に配置されている。つまり、戸先框の上端と下端に位置する縦框小口２６及び吊り元框の上端と下端に位置する縦框小口２６が、それぞれ小口キャップ４０により塞がれている。なお、小口キャップ４０及びその周辺の構成については、後に詳述する。
【００２７】
一対の縦框２１及び上下の横框２２は、いずれも室外側に配置されてアルミニウム製の押出成形部材でなる外框部２１ａ、外框部２２ａと、外框部２１ａ、外框部２２ａの室内側に取り付けられる合成樹脂製の押出成形部材でなる内框材２１ｂ、内框材２２ｂと、を有している。つまり、一対の縦框２１及び上下の横框２２は、アルミ樹脂複合の部材となっている。
【００２８】
外框部２１ａ、外框部２２ａは、いずれも長手方向に貫通する框中空部２１ｃ、框中空部２２ｃを有している。また、内框材２１ｂ、内框材２２ｂも、長手方向に貫通する框中空部２１ｄ、框中空部２２ｄを有している。
【００２９】
さらに、外框部２１ａ、外框部２２ａと内框材２１ｂ、内框材２２ｂは、いずれも複層ガラス３の方へ延出した延出部を備えており、この延出部により、複層ガラス３を呑み込むガラス呑み込み溝３０（所謂ガラス開口部）が構成されている。
【００３０】
複層ガラス３は、１枚の網入りガラス４と遠赤外線の反射率が高くなるように表面に処理が施された１枚のＬｏｗ−Ｅガラス５（低放射板ガラス、フロートガラス）とが見込み方向において間隔を隔てて対面した構成を備えている。網入りガラス４は、網の作用により、Ｌｏｗ−Ｅガラス５よりも、防火性能が高く、剛性が高いガラスとなっている。本実施の形態においては、網入りガラス４は室外側に設けられ、Ｌｏｗ−Ｅガラス５は室内側に設けられている。
【００３１】
また、複層ガラス３の見込み方向における両端部と上下方向における両端部には、内部に乾燥剤が封入されたスペーサー６が設けられ、このスペーサー６は、網入りガラス４とＬｏｗ−Ｅガラス５との間に介在されている（挟まれている）。そして、スペーサー６は、不図示のシールにより、網入りガラス４とＬｏｗ−Ｅガラス５の各々に接着されている。そして、複層ガラス３の、網入りガラス４とＬｏｗ−Ｅガラス５との間の部分は、密閉空間となっている。
【００３２】
＝＝＝本実施の形態に係る小口キャップ４０及びその周辺の構成について＝＝＝
次に、本実施の形態に係る小口キャップ４０及びその周辺の構成について、図４及び図５を参照して説明する。図４は、小口キャップ４０及びその周辺の構成を説明するための斜視断面図である。図５は、三つの加熱発泡材７０の位置関係を示した図である。
【００３３】
なお、上述したとおり、小口キャップ４０は、扉２０の４箇所に設けられている。また、周辺の構成も、４箇所において略同様である。そのため、以下では、主として、吊り元框の下端に位置する縦框小口２６に設けられた小口キャップ４０及びその周辺の構成について説明する（図４にも、吊り元框の下端に位置する縦框小口２６に設けられた小口キャップ４０及びその周辺の構成が表されている）。
【００３４】
また、以下の説明においては、縦框２１の上下方向や横框２２の左右方向における中央側を内側、端側を外側とする。
【００３５】
小口キャップ４０は、露出した縦框小口２６に起因する見栄えの悪さを解消するために、縦框小口２６に設けられた部材である。この小口キャップ４０は、合成樹脂製であり、縦框２１の上下方向における端に位置する縦框小口２６（図４においては、吊り元框の下端に位置する縦框小口２６）に嵌め込まれている。
【００３６】
小口キャップ４０には、小口覆部４０ａが設けられている。この小口覆部４０ａは、その面外方向が上下方向に沿う面（その面内方向が水平面に沿う面）であり、縦框小口２６を縦框小口２６の外側（図４ににおいては、縦框小口２６の下側）から覆っている。
【００３７】
また、この小口覆部４０ａは、縦框小口２６を覆うことにより、前述した外框部２１ａの框中空部２１ｃや内框材２１ｂの框中空部２１ｄの外側端（図４においては、下端）も覆うこととなっている。つまり、小口覆部４０ａは、框中空部２１ｃや框中空部２１ｄの下端開口を閉じるように、設けられている。
【００３８】
また、小口キャップ４０には、小口キャップ４０が縦框２１から容易に抜けないように縦框２１と係合する係合部４０ｂが、設けられているが、この係合部４０ｂの一部として、小口覆部４０ａから延出して外框部２１ａの框中空部２１ｃ（中空部に相当）内に入り込んだ延出部４２が備えられている。この延出部４２は、框中空部２１ｃの内壁２８に沿って設けられ、面外方向が見込み方向に沿った延出面である。
【００３９】
つまり、框中空部２１ｃは、横断面において矩形状（図２参照）を備え、四つの内壁２８、すなわち、横断面において左右方向に沿った室外側内壁２８ａ及び室内側内壁２８ｂと横断面において見込み方向に沿った外側内壁２８ｃ及び内側内壁２８ｄとを備えているが、延出部４２は、室外側内壁２８ａに沿って、換言すると、室外側内壁２８ａに張り付いた状態で、框中空部２１ｃ内に設けられている。
【００４０】
また、框中空部２１ｃ内には、不燃性または難燃性の中空部内補強部材３７（補強部材に相当）が設けられている（収容されている）。この中空部内補強部材３７は、火災により、アルミニウム製の外框部２１ａが溶融したとしても、火炎を通さないようにする機能を備えている。
【００４１】
中空部内補強部材３７は、横断面においてコの字形状を有するステンレス又は鋼製の部材である。すなわち、中空部内補強部材３７は、面外方向が見込み方向に沿った第一面３７ａと、第一面３７ａと連続し面外方向が左右方向に沿った第二面３７ｂと、第一面３７ａと連続し、かつ、第二面３７ｂと左右方向において対向し、面外方向が左右方向に沿った第三面３７ｃ（図２参照）と、を有している。なお、第一面３７ａは、室外側内壁２８ａに沿って（に寄り添うように）、第二面３７ｂは、内側内壁２８ｄに沿って（に寄り添うように）、第三面３７ｃは、外側内壁２８ｃに沿って（に寄り添うように）、それぞれ設けられている。
【００４２】
ここで、中空部内補強部材３７の第二面３７ｂや第三面３７ｃは、框中空部２１ｃの長手方向における一端部から他端部に亘って設けられているが、第一面３７ａは、一端部や他端部まで至っていない。
【００４３】
すなわち、前述したとおり、第一面３７ａと小口キャップ４０の延出部４２が、共に、室外側内壁２８ａに沿って設けられているので、第一面３７ａも  一端部まで至らせようとすると、延出部４２と物理的に干渉してしまう。そのため、本実施の形態においては、第一面３７ａを延出部４２の手前まで至らせるようにしている（したがって、第一面３７ａの上下方向の長さは、第二面３７ｂや第三面３７ｃの上下方向の長さよりも短くなっている。
【００４４】
つまり、本実施の形態においては、中空部内補強部材３７が小口キャップ４０と物理的に干渉することを回避するために、中空部内補強部材３７が、上下方向において延出部４２の内側端４２ａ（図４においては、上端）と隣り合う外側端３７ｄ（図４においては、下端）を有する構成（すなわち、延出部４２の上端の真上に中空部内補強部材３７の下端が位置する構成）としている。つまり、縦框２１の下端部には、小口キャップ４０の延出部４２が存在するため、当該下端部まで中空部内補強部材３７の第一面３７ａを伸ばさないようにしている。
【００４５】
このように、本実施の形態においては、延出部４２が沿う室外側内壁２８ａには、中空部内補強部材３７が沿わない構成となっている。そのため、室外側で火災が起こった際（つまり、外加熱の際）に、以下の課題が生じることとなる。すなわち、室外側で火災が発生すると、延出部４２及び延出部４２が沿う室外側内壁２８ａはいずれも火炎により溶融し、火炎が容易に框中空部２１ｃに入り込んでしまう。そして、框中空部２１ｃ内の火炎は、室内側内壁２８ｂと当該室内側内壁２８ｂよりも室内側に位置する内框材２１ｂを溶融させ、室内側へ至ることとなる。つまり、延出部４２が設けられている場所が火炎の通り道となって、火炎が室外側から室内側へ入ってしまうこととなる。
【００４６】
そこで、本実施の形態においては、延出部４２と見込み方向において対向する対向壁２８ｅ（すなわち、室内側内壁２８ｂのうち延出部４２と対向する部分）に、従来は設けられていなかった加熱発泡材７０（以下、中空部内発泡材７１とも呼ぶ）を設けている。そのため、室外側で火災が発生して、延出部４２及び延出部４２が沿う室外側内壁２８ａがいずれも火炎により溶融し、火炎が框中空部２１ｃに入り込んだとしても、室内側内壁２８ｂに設けられた中空部内発泡材７１が延出部４２（室外側内壁２８ａ）へ向かって（見込み方向に）膨張して、火炎をブロックすることができる。したがって、火炎が室内側内壁２８ｂへ至ることが抑えられ、火炎が室内側に入ってしまうことが適切に回避されることとなる。
【００４７】
なお、中空部内発泡材７１は、対向壁２８ｅに貼付されている。また、中空部内発泡材７１は、前述した目的のため、延出部４２に対応させて設けているので、縦框２１（框中空部２１ｃ）の長手方向における一端部から他端部に亘って設けられているわけではなく、縦框２１の端部にのみ設けられている。すなわち、中空部内発泡材７１は、縦框２１（框中空部２１ｃ）の下端部及び上端部の少なくともどちらか一方（本実施の形態においては、双方）に備えられている。
【００４８】
上述したように、中空部内発泡材７１を設けることにより、延出部４２が設けられている場所が火炎の通り道となって火炎が室外側から室内側へ入ることは防止されている。しかしながら、延出部４２よりもさらに外側（図４においては、下側）には、小口キャップ４０（具体的には、小口覆部４０ａ）と枠体１０（図４においては、下枠１２）との間に設けられた隙間が存在するため、当該隙間（図４において、符号Ｇで表す）が火炎の通り道となる可能性がある。
【００４９】
従来は、この課題を解決するために、小口キャップ４０の小口覆部４０ａに加熱発泡材７０が貼付されていた。しかしながら、以下の問題が存在していた。すなわち、小口キャップ４０は、合成樹脂製かつ小さな部品であるため、火災の際に溶融や変形が起こりやすく、加熱発泡材７０の小口覆部４０ａへの固定が不適切な状態となりやすい（剥がれの発生等）。そのため、加熱発泡材７０が前記隙間を適切に塞ぐことができないという事象が発生していた。
【００５０】
そこで、本実施の形態においては、小口キャップ４０ではなく、枠体１０の方に、加熱発泡材７０（以下、枠体発泡材７２とも呼ぶ）を設けている。すなわち、小口覆部４０ａと上下方向において対向する枠体１０（図４においては、下枠１２）の枠体対向部分１４に、加熱発泡材７０（以下、枠体発泡材７２とも呼ぶ）を設けている。そのため、加熱発泡材７０の固定が不適切な状態となりにくく、加熱発泡材７０が前記隙間を適切に塞ぐことが可能となる。
【００５１】
また、本実施の形態において、枠体発泡材７２を小口キャップ４０側ではなく枠体１０側（枠体対向部分１４）に設けたことにより、前述した中空部内発泡材７１に新たな有効な機能を持たせることが可能となる。
【００５２】
すなわち、火災の際に、枠体発泡材７２は、小口覆部４０ａへ向かって（上下方向に）膨張して前記隙間を埋めるが、合成樹脂製の小口キャップ４０が容易に溶融してしまうので、小口キャップ４０の小口覆部４０ａは、膨張する枠体発泡材７２を押さえる蓋部材（受け部材）の役割を果たさない。そして、このような枠体発泡材７２の膨張を止める蓋部材がないと、枠体発泡材７２の体積が大きくなりすぎてその密度が低密度となり、枠体発泡材７２の本来の機能（隙間を塞ぐ機能）が適切に発揮されなくなる恐れがある。
【００５３】
しかしながら、本実施の形態においては、中空部内発泡材７１を設けたことにより、室内側内壁２８ｂに貼付され室外側内壁２８ａへ向かって膨張した中空部内発泡材７１が、溶融した小口覆部４０ａの代わりに蓋部材としての機能を発揮することとなる。そのため、枠体発泡材７２の密度が高密度となり、枠体発泡材７２の機能（隙間を塞ぐ機能）が適切に発揮されることとなる。
【００５４】
このように、本実施の形態においては、中空部内発泡材７１を設けたことによるメリット（すなわち、延出部が設けられている場所が火炎の通り道となって、火炎が室内側に入ってしまうことを適切に回避するメリット）や枠体発泡材７２を設けたことによるメリット（加熱発泡材７０の固定が不適切な状態となりにくく、加熱発泡材７０が隙間を適切に塞ぐことが可能となるメリット）だけでなく、双方を設けたことによる相乗効果としてのメリット（枠体発泡材７２の密度が高密度となり、枠体発泡材７２の隙間を塞ぐ機能が適切に発揮されるメリット）も生ずることとなる。
【００５５】
なお、中空部内発泡材７１は、枠体対向部分１４に貼付されている。また、図５に示すように、横框２２（具体的には、枠体１０と上下方向において対向する横框２２の対向面）には、加熱発泡材７０（横框発泡材７３と呼ぶ）が設けられているため（貼付されているため）、中空部内発泡材７１は、横枠の長手方向における一端部から他端部に亘って設けられているわけではなく、横框発泡材７３の存在しない横枠の側端部にのみ備えられている。すなわち、中空部内発泡材７１は、横枠の左端部及び右端部の少なくともどちらか一方（本実施の形態においては、双方）に備えられている。
【００５６】
また、図５に示すように、上方から見た際に、中空部内発泡材７１は、枠体発泡材７２の存在する範囲内に位置している（換言すれば、中空部内発泡材７１は、枠体発泡材７２にオーバーラップしている）。したがって、左右方向において、中空部内発泡材７１の外側端７１ａは、枠体発泡材７２の外側端７２ａよりも内側に位置し、中空部内発泡材７１の内側端７１ｂは、枠体発泡材７２の内側端７２ｂよりも外、側に位置することとなる。このことにより、中空部内発泡材７１の一部だけではなく全体が枠体発泡材７２に対する蓋部材としての機能を発揮することとなり、枠体発泡材７２の機能（隙間を塞ぐ機能）がより一層適切に発揮されることとなる。
【００５７】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５８】
上記においては、戸体として扉２０を例に挙げたがこれに限定されるものではない。例えば、障子や窓であってもよい。
【００５９】
上記実施の形態においては、対向壁２８ｅに設けられた中空部内発泡材７１は、框の端部に備えられていることとした。すなわち、中空部内発泡材７１は、縦框２１の下端部及び上端部の少なくともどちらか一方に備えられていることとした。しかしながら、これに限定されるものではなく、例えば、框（縦框２１）の長手方向における一端部から他端部に亘って設けられていることとしてもよい。
【００６０】
ただし、必要最小限の部分がカバーされ、中空部内発泡材７１の使用量を節約してコストメリットを出すことが可能となる点で、上記実施の形態の方が望ましい。
【００６１】
また、上記実施の形態においては、枠体対向部分１４に設けられた枠体発泡材７２は、枠体１０の端部に備えられていることとした。すなわち、枠体発泡材７２は、枠体１０の横枠の側端部に備えられていることとした。しかしながら、これに限定されるものではなく、例えば、枠体１０（横枠）の長手方向における一端部から他端部に亘って設けられていることとしてもよい。
【００６２】
ただし、必要最小限の部分がカバーされ、枠体発泡材７２の使用量を節約してコストメリットを出すことが可能となる点で、上記実施の形態の方が望ましい。
【００６３】
また、上記実施の形態においては、框は縦框２１であり、縦框２１の上下方向における端に位置する縦框小口２６に、合成樹脂製の小口キャップ４０が嵌め込まれており、中空部内補強部材３７は、上下方向において延出部４２の内側端４２ａと隣り合う外側端３７ｄを有しており、延出部４２と見込み方向において対向する対向壁２８ｅと、小口覆部４０ａと上下方向において対向する枠体１０の枠体対向部分１４に、加熱発泡材７０が設けられていることとした。つまり、上記実施の形態においては、建具１の框組みが縦勝ちであり、縦框２１の上下方向における端に位置する縦框小口２６に、合成樹脂製の小口キャップ４０が嵌め込まれている形態に本発明を適用する例を挙げたが、これに限定されるものではなく、建具１の框組が横勝ちであり、横框の左右方向における端に位置する横框小口に、合成樹脂製の小口キャップが嵌め込まれている形態にも本発明を適用することが可能である。
【符号の説明】
【００６４】
１  建具
１０  枠体、１１  上枠、１２  下枠、１３  縦枠
１４  枠体対向部分
２０  扉
２１  縦框、２１ｃ  框中空部
２２  横框、２３  框体、２４  上框、２５  下框
２６  縦框小口
２８  内壁、２８ａ  室外側内壁、２８ｂ  室内側内壁
２８ｃ  外側内壁、２８ｄ  内側内壁、２８ｅ  対向壁
３７  中空部内補強部材、３７ｄ  外側端
４０  小口キャップ、４０ａ  小口覆部
４２  延出部、４２ａ  内側端
７０  加熱発泡材
７１  中空部内発泡材、７１ａ  外側端、７１ｂ  内側端
７２  枠体発泡材、７２ａ  外側端、７２ｂ  内側端
７３  横框発泡材
【図１】
2016030989.tif 000003
【図２】
2016030989.tif 000004
【図３】
2016030989.tif 000005
【図４】
2016030989.tif 000006
【図５】
2016030989.tif 000007